(57)【要約】【課題】電子装置に関し、簡単な構造で、電池交換時の蓋部材の紛失を防止することができることを目的とする。【解決手段】  一端が装置筐体１外部に開放された電池収容部２と、  電池収容部２の開放端を閉塞する蓋部材３とを有し、  前記蓋部材３は、開放端を閉塞する閉塞位置から両側縁部が装置筐体１にガイドされて電池収容部２の開放方向に交差する方向にスライドした閉塞回転位置まで移動自在に装置筐体１に連結されるとともに、  前記蓋部材３の一側縁部は、装置筐体１に立設されたピン４により支承され、  蓋部材３は、閉塞位置から閉塞回転位置までスライド操作された後、ピン４周りに回転して開放位置に移動可能な電子装置。【選択図】図６
2009231022.tif 000002
【特許請求の範囲】
【請求項１】
一端が装置筐体外部に開放された電池収容部と、
電池収容部の開放端を閉塞する蓋部材とを有し、
前記蓋部材は、開放端を閉塞する閉塞位置から両側縁部が装置筐体にガイドされて電池収容部の開放方向に交差する方向にスライドした閉塞回転位置まで移動自在に装置筐体に連結されるとともに、
前記蓋部材の一側縁部は、装置筐体に立設されたピンにより支承され、
蓋部材は、閉塞位置から閉塞回転位置までスライド操作された後、ピン周りに回転して開放位置に移動可能な電子装置。
【請求項２】
電池収容部は開放端を下方に向けて筒形状に形成されるとともに、
開放端縁には電池の底面辺縁部を係止して電池の脱落を防止する支持突部が設けられる請求項１記載の電子装置。
【請求項３】
前記電池収容部は、天井部に陰陽両電極が配置されるとともに、蓋部材のスライド方向に傾いた斜め姿勢での電池の装着が可能な大きさに形成され、
蓋部材には、閉塞位置へのスライド操作時に電池側壁を押し付けて電池セット位置に移動させる押し付け部が設けられる請求項２記載の電子装置。
【請求項４】
家屋の扉に固定される装置筐体内に格納され、利用者からの認証要求に対する認証成立を条件に扉を解錠操作する制御部と、
蓋部材の閉塞位置からの移動を規制するロック部材と、
制御部での認証成立を条件にロック部材を解除位置に駆動するアクチュエータと、
を有する請求項１、２または３記載の電子装置。
【発明の詳細な説明】
【技術分野】
【０００１】
本発明は電子装置、特に、電池駆動の電子装置に関するものである。
【背景技術】
【０００２】
電池駆動の電子装置としては、特許文献１に記載のものが知られている。この従来例による電子装置はロッカーの扉に固定されて使用される電池式電気錠であり、電池収納ケースが固定されて形成される電池収容部には、電気錠を駆動するための電池が収容される。
【０００３】
電池収容部はロッカー扉の裏面側に開放されており、使用時には電池収容部から着脱自在な蓋板（蓋部材）により閉塞される。
【特許文献１】特開２００６-２９１５２９号公報
【発明の開示】
【発明が解決しようとする課題】
【０００４】
しかし、上述した従来例において、蓋部材は電池収容部を開放して電池を交換する際には、電池収容部から取り外されるために、紛失等の虞があるという欠点がある。
【０００５】
本発明は、以上の欠点を解消すべくなされたものであって、簡単な構造で、電池交換時の蓋部材の紛失を防止することができる電子装置の提供を目的とする。
【課題を解決するための手段】
【０００６】
電子装置Ａの装置筐体１には電池収容部２が形成され、装置筐体１内の電子回路への給電を行う電池５が収容される。電池収容部２は電池５交換のために一端が装置筐体１外部に開放されており、蓋部材３により閉塞される。
【０００７】
蓋部材３は、開放部を閉塞する閉塞位置と、閉塞回転位置と、開放回転位置間を移動可能であり、閉塞位置から閉塞回転位置までは、装置筐体１に立設されたピン４、および装置筐体１に形成された蓋支承面１ｃにより両側縁部がガイドされてスライド移動する。閉塞回転位置において、蓋部材３の蓋支承面１ｃによる支持が解除されて、以後、蓋部材３はピン４周りに回転することが可能になり、開放回転位置に移動することができる。
【０００８】
したがってこの発明において、蓋部材３は装置筐体１にピン４を介して連結されているために、電池５交換作業中であっても装置筐体１から離れることがなく、紛失の虞がない。また、蓋部材３の閉塞操作は、開放回転位置から一旦回転操作して閉塞回転位置に移動させた後、閉塞位置まで並進移動させて行われる。
【０００９】
電池収容部２が側方、あるいは下方に向けて開放しており、回転操作のみにより蓋部材３を閉塞位置に移動させた場合、蓋部材３には、開放方向への力が加わり、この力に抗して蓋部材３を閉塞位置に保持しておくためには、ストッパ手段を別途設ける必要があるのに対し、スライド操作により閉塞位置に移動してきた蓋部材３には閉塞回転位置側への移動力は発生しない。この結果、本発明において、閉塞位置への保持に格別のストッパ手段を要しないために、構造を簡単にすることが可能になる。
【００１０】
また、不用意な開放を防止するために、使い勝手を考慮すると、蓋部材３の閉塞位置への移動に伴って自動的にロックされるように構成するのが望ましい。蓋部材３が回転操作により閉塞位置に移動した場合、上述したように、蓋部材３には開放方向の力が加わり、この付勢力をロック部材１２で受けると、ロック部材１２には背圧が発生する。ロック部材１２の解除をアクチュエータ１３により行う場合、ロック部材１２への背圧はアクチュエータ１３の動作の障害になり、動作不良の原因となる。
【００１１】
これに対し、スライド操作により閉塞位置に移動する本発明において、閉塞位置におけるロック部材１２への背圧発生がないために、アクチュエータ１３によるロック解除時の動作不良の防止が可能になる。
【００１２】
また、電子装置Ａは、電池収容部２を開放端を下方に向けて筒形状に形成するとともに、開放端縁に、電池５の底面辺縁部を係止して電池５の脱落を防止する支持突部６を設けて構成することができる。
【００１３】
閉塞状態の蓋部材３を目立たなくするためには、開放端を下方に向けた状態で電池収容部２を配置するのが有効であるが、蓋部材３の開放に伴って内部の電池５が落下したり、あるいは電池５の落下を手で押さえて防止しながら蓋部材３を閉塞位置に移動操作する必要が生じる。
【００１４】
電池収容部２の開放端縁に形成された支持突部６は、電池５交換時の電池５の不用意な落下を防止して電池５交換時の操作性を向上させる。
【００１５】
さらに、
電池収容部２は、天井部に陰陽両電極７、８が配置されるとともに、蓋部材３のスライド方向に傾いた斜め姿勢での電池５の装着が可能な大きさに形成され、
蓋部材３には、閉塞位置へのスライド操作時に電池５側壁を押し付けて電池５セット位置に移動させる押し付け部９を設けた場合には、電池５の挿入操作性を良好にし、かつ、電極の接触信頼性も高まる。
【発明の効果】
【００１６】
本発明によれば、簡単な構造で、電池交換時の蓋部材の紛失を防止することができる。
【発明を実施するための最良の形態】
【００１７】
図１に電気錠Ａとして構成された本発明の実施の形態を示す。電気錠Ａは、装置筐体１内に制御部１１と施解錠駆動ユニット１４とを収容して形成され、適宜手段により家屋の扉１０に固定される。
【００１８】
制御部１１は、テンキー１５ａをマトリクス状に配置した暗証番号入力部１５からの入力と、予め登録されたコードとの一致を条件に入力操作者の施解錠操作権限を認証する。図１（ａ）に示すように、不使用時には閉じられている蓋板１６を開いて認証番号入力部１５から入力した暗証番号に対する認証が成立すると、施解錠駆動ユニット１４内に配置された図外のモータが駆動されて駆動軸が回転し、扉１０内の箱錠１７を施解錠駆動する。
【００１９】
また、装置筐体１には、施解錠駆動ユニット１４の故障、あるいは電池収容部２内の電池５の消耗による動作停止が発生した際の非常施解錠手段としてシリンダ錠１８が装着される。非常時の使用を前提とするシリンダ錠１８は、頭部が通常の運用時に外部に露出することのないように、シリンダカバー１９により覆われ必要時にのみ外部に露出される。シリンダカバー１９によりシリンダ錠１８の頭部を覆うことにより、意匠的な自由度を高めることが可能になる上に、恒常的なキー挿入開口の露出によるシリンダ錠１８内部への水、塵埃の侵入が防止される。
【００２０】
装置筐体１の下端部（本明細書において、扉１０への取付姿勢、すなわち図１の姿勢を基準に「上下」「前後」を決定する。）には下方に向けて開放され、上記施解錠駆動ユニット１４、あるいは制御部１１に給電するための電池５を収容する電池収容部２が形成される。図３（ｂ）に示すように、使用される電池５は一端に正負極を配置したバッテリパックであり、図３（ａ）に示すように、陰陽両極５ａ、５ｂを上方に向けた姿勢で電池収容部２内に収容される。電池収容部２の下端には、電池５の底壁後縁部を支承して電池５を仮保持し、電池５交換時等における電池５の不用意な落下を防止する支持突部６が前方に向けて棚状に突設される。
【００２１】
上記電池収容部２は装置筐体１にバッテリケース２０を固定して形成される。バッテリケース２０は、上端部に電極７、８が固定されて背面壁において装置筐体１のバックプレート１ａに固定される。図３（ｂ）、図４（ｂ）に示すように、バッテリケース２０の背面壁には、上記電池５の挿入姿勢を規制して陰陽極の誤接触を防止するために、バッテリパック５の凹条５ｃに嵌合する上下に延びる突条２０ａが形成される。
【００２２】
上記電池収容部２の開口を閉塞するために、装置筐体１には蓋部材３が装着される。図２に示すように、蓋部材３は底壁の両側縁から立ち上がる側壁を有し、一方の側壁にピン保持筒３ａが形成され、さらに、装置筐体１のバックプレート１ａにはピン４が前方に向けて立設される。また、蓋部材３の前縁から立ち上がる正面壁の後部壁面には押し付け部９が突設される。
【００２３】
図５（ｂ）、（ｄ）に示すように、上記ピン４はピン保持筒３ａ内を貫通して装置筐体１の本体部１ｂに支持され、蓋部材３を前後方向に移動自在に支持する。蓋部材３の移動ストロークを規制して蓋部材３の装置筐体１からの脱落を防止するために、装置筐体１の本体部１ｂには、蓋部材３が前方に移動した際にピン保持筒３ａのストッパ段差部３ｂに当接するストッパ１ｅが形成される。
【００２４】
また、図２に示すように、蓋部材３のピン保持筒３ａが形成される側壁と反対側壁には被支持段部３ｃが突設され、装置筐体１の本体部１ｂの底壁（蓋支承面１ｃ）により支承される。蓋支承面１ｃには、蓋部材３が前方への引き出しストローク終端まで移動した際に被支持段部３ｃが通過可能な落ち込み開口１ｄが開設される。
【００２５】
したがってこの実施の形態において、図５に示す蓋部材３により電池収容部２の開口を閉塞した閉塞位置から図６に示すように、ストッパ段差部３ｂがストッパ１ｅに当接するまで蓋部材３を前方に引き出して閉塞回転位置まで移動させると、図６（ａ）に示すように、被支持段部３ｃが落ち込み開口１ｄに合致し、図７に示すように、蓋部材３をピン４周りに回転させることができる。蓋部材３がピン４周りに回転した開放回転位置において電池収容部２の開口は開放された状態となり、電池５の交換が可能になる。
【００２６】
電池５の交換に際し、図８（ａ）に示すように、まず、電池５の上端部を斜め方向に挿入した後、底壁後縁部を支持突部６上に載せる。この状態で電池５は落下が防止されるために、電池５から手を離して蓋部材３をピン４周りに回転させる操作を行うことができる。図８（ｂ）に示すように、閉塞回転位置から閉塞位置に移動する際、蓋部材３に形成された押し付け部９は電池５の正面壁下端部を後方に向けて押し付け、図３（ａ）に示す正規姿勢にガイドする。
【００２７】
さらに、電気錠Ａは蓋部材３の開閉操作に対する権限を設定するためのロック部材１２を備える。図４、図５に示すように、ロック部材１２はバッテリケース２０の側壁に上下移動自在に保持され、制御部１１により駆動制御されるソレノイド（アクチュエータ１３）により駆動される。ソレノイド１３のプランジャ１３ａは圧縮スプリング２１により突出位置（下方ストローク終端）側に付勢されており、非励磁状態でロック部材１２をロック位置に保持する。
【００２８】
図５（ｃ）に示すように、ロック部材１２がロック位置にあるとき、ロック部材１２は蓋部材３の側壁後端に形成されるロック用突起３ｄの前方への移動経路を閉塞し、蓋部材３の前方への移動、すなわち、閉塞回転位置への移動が規制される。
【００２９】
制御部１１は、暗証番号入力部１５からの入力に対する認証が成立した場合にソレノイド１３に通電する。ソレノイド１３が励磁されると、プランジャ１３ａは吸引されて上方ストローク終端に移動し、図６（ｂ）に示すように、ロック部材１２をロック解除位置に引き上げる。この状態で、ロック部材１２による規制が解除されて蓋部材３の閉塞回転位置へのスライドが可能になり、蓋部材３を開放回転位置に移動させて電池５の交換操作を行うことができる。
【図面の簡単な説明】
【００３０】
【図１】本発明の電子装置を示す図で、（ａ）は正面図、（ｂ）は要部断面図である。
【図２】蓋部材の組付けを示す図である。
【図３】電池を示す図で、（ａ）は電池収容部への収容状態を示す図、（ｂ）は電極を示す図である。
【図４】ロック部材を示す図で、（ａ）は４Ｂ方向矢視図、（ｂ）は正面図である。
【図５】蓋部材を示す図で、（ａ）は正面図、（ｂ）５Ｂ方向矢視図、（ｃ）は閉塞回転位置への移動規制を示す図、（ｄ）は５Ｄ-５Ｄ線断面図である。
【図６】蓋部材の閉塞回転位置への移動状態を示す図で、（ａ）は閉塞状態である図５（ｂ）に対応した図、（ｂ）は閉塞状態である図５（ｃ）に対応した図、閉塞状態である図５（ｄ）に対応した図である。
【図７】蓋部材の開放回転位置への移動状態を示す図で、（ａ）は正面図、（ｂ）は図５（ｃ）の閉塞回転位置状態に対応する図である。
【図８】電池の正規姿勢へのガイドを示す図で、（ａ）は蓋部材の閉塞状態への移動前の状態を示す図、（ｂ）は蓋部材の閉塞状態への移動途中の状態を示す図である。
【符号の説明】
【００３１】
１        装置筐体
２        電池収容部
３        蓋部材
４        ピン
５        電池
６        支持突部
７、８    陰陽両電極
９        押し付け部
１０      扉
１１      制御部
１２      ロック部材
１３      アクチュエータ
Ａ        電子装置
【図１】
2009231022.tif 000003
【図２】
2009231022.tif 000004
【図３】
2009231022.tif 000005
【図４】
2009231022.tif 000006
【図５】
2009231022.tif 000007
【図６】
2009231022.tif 000008
【図７】
2009231022.tif 000009
【図８】
2009231022.tif 000010